(57)【要約】【課題】  嵌合可能なソケット１０とプラグ５０からなるコネクタにおいて、構成を複雑にすることなく、ケーブルＣを変造ケーブルに交換する不正行為を防止すること。【解決手段】  ソケット１０は、互いに係止してターミナル１１を保持する第１、第２ソケットハウジング１２、１３を具備し、プラグ５０は、プラグピン５１を収容保持するプラグハウジング５３と、プラグハウジング５３に固着されてソケット１０との嵌合完了時に第２ソケットハウジング１３と係止する嵌合ロック片５２とを具備し、第２ソケットハウジング１３、嵌合ロック片５２間の係止力が第１、第２ソケットハウジング１２、１３間の係止力より大きく設定される。ソケット１０は抜去すると第２ソケットハウジング１２がプラグハウジング５３内に残り使用不能状態となる。【選択図】  図１
2005093284.tif 000002
【特許請求の範囲】
【請求項１】
嵌合可能なケーブル用コネクタ（１０）と基板用コネクタ（５０）からなるコネクタであって、ケーブル用コネクタ（１０）は、一側にケーブル圧着部（１４）が形成され他側に弾性接触部（１５）が形成されたターミナル（１１）と、互いに係止することによってターミナル（１１）を保持する第１，第２ハウジング（１２）（１３）とを具備し、基板用コネクタ（５０）は、一側に接続部（５６）が形成され他側に基板用コネクタ（５０）との嵌合時にターミナル（１１）の弾性接触部（１５）と弾性接触する接触部（５４）が形成されたピンコンタクト（５１）と、このピンコンタクト（５１）を収容保持するハウジング（５３）と、このハウジング（５３）に固着されてケーブル用コネクタ（１０）との嵌合完了時に第２ハウジング（１３）と係止する嵌合ロック片（５２）とを具備し、第２ハウジング（１３）、嵌合ロック片（５２）間の係止力が第１、第２ハウジング（１２）（１３）間の係止力より大きく設定されていることを特徴とするコネクタ。
【請求項２】
ハウジング（５３）は、上面を開口してケーブル用コネクタ（１０）を嵌合するための嵌合凹部（７４）とした略箱形形状に形成され、嵌合ロック片（５２）は、ハウジング（５３）の対向する側板（７２）（７２）の内壁面に形成されたロック片収容凹部（７７）（７７）内に上側を可動側とした片持梁状に収容されると共に、上側先端部に形成されたロック爪（５８、５８）（５８、５８）が嵌合凹部（７４）内に突出して形成され、第２ハウジング（１３）の外壁面のロック爪（５８、５８）（５８、５８）に対応する位置に、嵌合完了時にロック爪（５８、５８）（５８、５８）と係止する係止段部（４１、４１）（４１、４１）が形成されていることを特徴とする請求項１記載のコネクタ。
【請求項３】
第２ハウジング（１３）の外壁面であって係止段部（４１、４１）（４１、４１）の下側に、ロック片収容凹部（７７）（７７）内へ下側から嵌合ロック片（５２）を収容するときにロック爪（５８、５８）（５８、５８）を案内するロック爪案内溝（３９、３９）（３９、３９）が形成されていることを特徴とする請求項２記載のコネクタ。
【請求項４】
係止段部（４１，４１）（４１，４１）が形成されたロック爪係止溝（４０）（４０）は、上側に向かって開口すると共に、その開口部が第１ハウジング（１２）で覆われており、第２ハウジング（１３）の内壁面であって、係止段部（４１、４１）（４１、４１）に対応する位置の両側の内壁面に、治具引掛溝（３８、３８）、（３８、３８）が形成されていることを特徴とする請求項２又は３記載のコネクタ。
【請求項５】
ターミナル（１１）とピンコンタクト（５１）は、ケーブル用コネクタ（１０）と基板用コネクタ（５０）のハーフ嵌合時に弾性接触部（１５）が接触部（５４）に弾性接触する位置にに配設され、第２ハウジング（１３）の外壁面とハウジング（５３）の対応する内壁面とに、前記ハーフ嵌合時に互いに係止する係止部（４６〜４６）（８２〜８２、８４〜８４）が形成されていることを特徴とする請求項１、２、３又は４記載のコネクタ。
【発明の詳細な説明】
【技術分野】
【０００１】
本発明は、ケーブルと基板（例えばプリント配線基板）を電気的に接続するためのコネクタに関するものである。特に遊技機に使用された場合に、ケーブルを変造ケーブルに交換する不正行為を防止するのに適したコネクタに関するものである。
【背景技術】
【０００２】
一般に、この種のコネクタには、図１４に示すようなコネクタ１００が知られている。  このコネクタ１００は、基板Ｐに実装された基板用コネクタの一例としてのプラグ１０３と、複数のケーブルに接続されたケーブル用コネクタの一例としてのソケット１０７とで構成されている。
プラグ１０３は、ソケット嵌合凹部１０９を有するプラグハウジング１１１と、このプラグハウジング１１１に収容保持された複数のプラグピン１１３とを具備している。
ソケット１０７はプラグ１０３のソケット嵌合凹部１０９内に嵌合可能なソケットハウジング１１５と、このソケットハウジング１１５に保持された複数のターミナル１１７とを具備し、このターミナル１１７のケーブル圧着部１１９にはケーブルＣが圧着され、電気的に接続されている。
そして、ソケット１０７のソケットハウジング１１５をプラグ１０３のソケット嵌合凹部１０９内に嵌合し、ターミナル１１７の弾性接触部１２１をプラグピン１１３の接触部１２３に弾性接触させることによって、ケーブル１０５と基板Ｐ上の回線パターンとが電気的に接続される（例えば特許文献１）。
【０００３】
一方、パチンコ機やスロットマシン等の遊技機には、遊技機の作動を制御する制御基板や、入賞装置に遊技球が入ったことを検出して対応した信号（例えばスタート信号）を発生する信号発生基板などが設けられ、この基板間は例えば図１５に示すようにコネクタ１００、１００で電気的に接続される。
すなわち、図１５に示すように、制御基板Ｐ１、信号発生基板Ｐ２のそれぞれにプラグ１０３、１０３を実装し、複数のケーブルＣの両端に接続されたソケット１０７、１０７を対応するプラグ１０３、１０３に嵌合することによって、基板Ｐ１、Ｐ２間が電気的に接続される。
【０００４】
図１５においては、プラグ１０３とソケット１０７の挿抜ができるので、ケーブルＣを変造ケーブルに変換することによって、入賞装置に遊技球が入ったことを示す信号が制御基板２０１に送られた状態と同一状態となるような不正行為が行われる虞があった。  このような不正行為を防止するために、図１６（ａ）（ｂ）に示すような手段が知られている。すなわち、図１６（ａ）に示すように、複数のケーブルＣの外側にケーブルＣに沿って移動可能な技脱防止部材３０１を設け、この抜脱防止部材３０１を図中矢印方向に移動して基板ケース３０３のケーブル挿通孔３０５を通過させる。そして、図１６（ｂ）に示すように、技脱防止部材３０１の弾性変形可能なアーム部３０７、３０７を基板ケース３０３の壁面３０９に当接させ、抜脱防止部材３０１の移動を停止させる。
このような状態でケーブル１０５を抜脱させる方向に引っ張ると、ソケット１０７Ａがプラグ１０３Ａから引き抜かれる方向に若干移動するが、すぐにソケット１０７Ａが抜脱防止部材３０１に当接し、アーム部３０７、３０７の先端が壁面３０９に当接するので、ソケット１０７Ａがプラグ１０３Ａから引き抜かれるのを防止し、ケーブル１０５を変造ケーブルに交換する不正行為を防止できる（特許文献２）。
【特許文献１】特開平９−１８０８３２
【特許文献２】特開２００２−３１５８８１
【発明の開示】
【発明が解決しようとする課題】
【０００５】
しかしながら、図１６に示した公知例では、ケーブルＣを変造ケーブルに交換する不正行為を防止することができるが、抜脱防止部材３０１や基板ケース３０３を必要とするなど、構成が複雑になるという課題があった。
【０００６】
本発明は、このような課題に鑑みなされたもので、ケーブル用コネクタと基板用コネクタからなるコネクタであって、構成を複雑にすることなくケーブルを変造ケーブルに交換する不正行為を防止することの可能なコネクタを提供することを目的とするものである。
【課題を解決するための手段】
【０００７】
請求項１記載の発明は、嵌合可能なケーブル用コネクタと基板用コネクタからなるコネクタであって、前記ケーブル用コネクタは、一側にケーブル圧着部が形成され他側に弾性接触部が形成されたターミナルと、互いに係止することによって前記ターミナルを保持する第１、第２ハウジングとを具備し、前記基板用コネクタは、一側に接続部が形成され他側に前記基板用コネクタとの嵌合時に前記ターミナルの弾性接触部と弾性接触する接触部が形成されたピンコンタクトと、このピンコンタクトを収容保持するハウジングと、このハウジングに固着されて前記ケーブル用コネクタとの嵌合完了時に前記第２ハウジングと係止する嵌合ロック片とを具備し、前記第２ハウジング、前記嵌合ロック片間の係止力が前記第１、第２ハウジング間の係止力より大きく設定されていることを特徴とする。
上述の構成において、ケーブルを変造ケーブルに不正に変換するためにケーブル用コネクタを基板用コネクタから抜去すると、第２ハウジング、嵌合ロック片間の係止力が第１、第２ハウジング間の係止力より大きく設定されているので、第２ハウジングが基板用コネクタのハウジング内に残り、使用不能状態となる。
【０００８】
請求項２記載の発明は、請求項１記載の発明において、基板用コネクタのハウジングは、上面を開口してケーブル用コネクタを嵌合するための嵌合凹部とした略箱形形状に形成され、嵌合ロック片は、前記基板用コネクタのハウジングの対向する側板の内壁面に形成されたロック片収容凹部内に上側を可動側とした片持梁状に収容されると共に、上側先端部に形成されたロック爪が前記嵌合凹部内に突出して形成され、第２ハウジングの外壁面の前記ロック爪に対応する位置に、嵌合完了時に前記ロック爪と係止する係止段部が形成されていることを特徴とする。
【０００９】
請求項３記載の発明は、請求項２記載の発明において、第２ハウジングの外壁面であって係止段部の下側に、ロック片収容凹部内へ下側から嵌合ロック片を収容するときにロック爪を案内するロック爪案内溝が形成されていることを特徴とする。
【００１０】
請求項４記載の発明は、請求項２又は３記載の発明において、係止段部が形成されたロック爪係止溝は、上側に向かって開口すると共に、その開口部が第１ハウジングで覆われており、第２ハウジングの内壁面であって、係止段部に対応する位置の両側の内壁面に、治具引掛溝が形成されていることを特徴とする。
【００１１】
請求項５記載の発明は、請求項１、２、３又は４記載の発明において、ターミナルとピンコンタクトは、ケーブル用コネクタと基板用コネクタのハーフ嵌合時に前記ターミナルの弾性接触部が前記ピンコンタクトの接触部に弾性接触する形状に形成され、第２ハウジングの外壁面と前記基板用コネクタのハウジングの対応する内壁面とに、前記ハーフ嵌合時に互いに係止する係止部が形成されていることを特徴とする。
【発明の効果】
【００１２】
請求項１記載の発明は、ケーブル用コネクタを基板用コネクタから抜去すると、第２ハウジングと嵌合ロック片の間に働く係止力が第１、第２ハウジング間に働くの係止力より大きく設定されているので、第２ハウジングが基板用コネクタのハウジング内に残り、使用不能状態となる。このため、構成を複雑にすることなく、ケーブルを変造ケーブルに変換する不正行為を防止することができる。   
【００１３】
請求項２記載の発明は、請求項１記載の発明において、基板用コネクタのハウジングが、嵌合凹部を有する略箱形形状に形成され、嵌合ロック片が、前記基板用コネクタのハウジングのロック片収容凹部内に片持梁状に収容されると共に、そのロック爪が嵌合凹部内に突出して形成され、第２ハウジングの外壁面のロック爪に対応する位置に、嵌合完了時にロック爪と係止する係止段部が形成されているので、第２ハウジングと嵌合ロック片の係止構造を簡単にすることができる。
【００１４】
請求項３記載の発明は、請求項２記載の発明において、第２ハウジングの外壁面にロック爪を案内するロック爪案内溝が形成され、ロック片収容凹部内へ嵌合ロック片を収容するときにロック爪がロック爪案内溝に案内されて係止段部に係止するので、ケーブル用コネクタの基板用コネクタへの嵌合に必要以上の力が要求されず、ケーブル用コネクタ、基板用コネクタ間の嵌合を容易にすることができる。
【００１５】
請求項４記載の発明は、請求項２又は３記載の発明において、係止段部が形成された、ロック爪係止溝が、上側に向かって開口すると共に、その開口部が第１ハウジングで覆われており、第２ハウジングの内壁面に治具引掛溝が形成されているので、ケーブル用コネクタと基板用コネクタが嵌合している時には治具を用いても第２ハウジングだけを取り外すことができず、第２ハウジングが基板用コネクタ内に残った使用不能状態になったときのみ、治具を用いても第２ハウジングだけを取り外すことができる。すなわち、ロック解除用の治具をロック爪係止溝の開口部から挿入することによって、ロック爪と係止段部の係止解除を可能にするとともに、残った第２ハウジングの引き抜きを可能としたので、治具を用いて基板用コネクタ及び基板を使用可能状態に復帰させることができる。
【００１６】
請求項５記載の発明は、請求項１、２、３又は４記載の発明において、第２ハウジングの外壁面と基板用コネクタのハウジングの対応する内壁面とに、ハーフ嵌合時に互いに係止する係止部が形成され、ケーブル用コネクタと基板用コネクタのハーフ嵌合時にターミナルの弾性接触部がピンコンタクトの接触部に弾性接触する構成としたので、抜去しても使用不能状態とならないハーフ嵌合として、出荷前の特性検査等を行うことができる。
【発明を実施するための最良の形態】
【００１７】
ケーブルと基板を電気的に接続するためのケーブル用コネクタと基板用コネクタからなるコネクタにおいて、ケーブルを変造ケーブルに交換する不正行為を防止するために、ケーブル用コネクタが互いに係止してターミナルを保持する第１、第２ハウジングを具備し、基板用コネクタがピンコンタクトを収容保持するハウジングと、ケーブル用コネクタとの嵌合完了時に第２ハウジングと係止する嵌合ロック片を具備し、第２ハウジングと嵌合ロック片の間に働く係止力を第１、第２ハウジング間に働くの係止力より大きく設定する。
【実施例】
【００１８】
図１〜図１２は本発明によるコネクタの一実施例を示すものである。
図１は、コネクタを用いて複数のケーブルＣと基板Ｐとを電気的に接続した状態を示す断面図である。
図１において、１０はケーブル用コネクタの一例としてのソケット、５０は基板用コネクタの一例としてのプラグである。
【００１９】
ソケット１０は、導電性金属で成形された１２個のターミナル１１と、絶縁性合成樹脂で成形されて互いに係止した第１、第２ソケットハウジング１２、１３とで形成されている。
ターミナル１１は一体に形成されたケーブル圧着部１４、弾性接触部１５及び係止用のランス１６を具備し、ケーブル圧着部１４はケーブルＣを圧着してケーブルＣの芯線と電気的に接続され、弾性接触部１５はプラグ５０との嵌合時にプラグ５０のプラグピン５１と弾性接触する。
第１、第２ソケットハウジング１２、１３は、互いに係止することによってターミナル挿入孔１７を形成し、このターミナル挿入孔１７内にはターミナル１１が収容、保持される。   
【００２０】
第１ソケットハウジング１２は、図２〜図５にも示すように、略矩形板状に形成されたハウジング本体２１と、このハウジング本体２１の下面両側から一体に突設して略平行に配設された一対の舌片状の係合片２２、２２と、ハウジング本体２１の下面側から一体に突設して係合片２２、２２間の空間を１２区画のターミナル挿入孔１７用の空間に仕切る隔壁２３とを具備している。
ハウジング本体２１には、隔壁２３で１２区画に仕切られたターミナル挿入孔１７用の空間のそれぞれに連通するターミナル挿入口２６が穿設されている。
隔壁２３は、係合片２２、２２の対向する内壁面の垂直中央部に一体に連設されて係合片２２、２２間の空間を縦方向へ２区画に仕切る１個の横隔壁２４と、この横隔壁２４と略直角に交差するように一体連設されて係合片２２、２２間の空間を横方向へ６区画に仕切る５個の縦隔壁２５とを具備している。
係合片２２、２２、横隔壁２４及び縦隔壁２５は、その下端面が略同一水平面上に位置するように形成されている。  
【００２１】
係合片２２、２２の外壁面には、図５に示すように、横方向外側に位置する係合凹部２７，２７、２７，２７と、縦方向外側に位置する係止用突部２８，２８、２８，２８とが形成されている。
係合片２２、２２のターミナル挿入孔１７用空間に対面する内壁面と、縦隔壁２５のターミナル挿入孔１７用空間に対面する外壁面とには、ターミナル挿入孔１７内に圧入されたターミナル１１に圧接する圧接用突部２９が形成されている。  
横隔壁２４の各ターミナル挿入孔１７用空間に対面する外壁面には、基端側から分岐して下方へ片持梁状に延出するハウジングランス３０が形成され、このハウジングランス３０はターミナル挿入孔１７内に圧入されるターミナル１１のランス１６で弾性変形した後に復帰し、ランス１６に係止してターミナル１１の抜け止めとなる。
【００２２】
第２ソケットハウジング１３は、図２〜図５にも示すように、略矩形板状に形成された底板３１と、この底板１３１の短辺側の縁部から一体に直立した縦側板３２、３２と、底板３１の長辺側の縁部から一体に直立した横側板３３、３３とからなり、底板３１、縦側板３２、３２及び横側板３３、３３によって上面を開口した収容凹部３４が形成され、この収容凹部３４は第１ソケットハウジング１２の係合片２２、２２及び隔壁２３を収容可能な形状に形成されている。
【００２３】
底板１３１には、各ターミナル挿入孔１７用空間に対応してプラグピン貫通孔３５とターミナル係合凹部３６が形成され、このターミナル係合凹部３６の一部は底面側へ貫通している。
縦側板３２、３２の内壁面には、第１ソケットハウジング１２の係合凹部２７，２７、２７，２７と係合する係合用凸部３７，３７、３７，３７が形成されるとともに、後述する治具９０のハウジング引掛部９５〜９５を引っ掛けるための治具引掛溝３８，３８、３８，３８が形成されている。
縦側板３２、３２の外壁面には、プラグ５０との嵌合時に嵌合ロック片５２のロック爪５８、５８を案内するロック爪案内溝３９，３９、３９，３９と、案内されたロック爪５８、５８を係止するためのロック爪係止溝４０、４０とが形成されている。ロック爪係止溝４０、４０は上面側が開口し、下面側が閉塞してロック爪５８、５８を係止する係止段部４１，４１、４１，４１となり、係止段部４１，４１、４１，４１の中央部には治具案内凹部４２、４２が形成されている。
横側板３３、３３の内壁面のうち、１２個のターミナル挿入孔１７用空間に対面する内壁面は、それぞれ対応するターミナル挿入孔１７の内壁面の一部となり、隔壁２３の内壁面とともにターミナル挿入孔１７を形成している。
横側板３３、３３の内壁面には、第１ソケットハウジング１２の係合片２２、２２の縦方向外側端部と係合する係合用凹部４３，４３、４３，４３と、第１ソケットハウジング１２の各縦隔壁２５の縦方向外側端部と係合する係合用凹部４４、４４とが形成され、各係合用凹部４３内には、第１ソケットハウジング１２の対応する係止用突部２８と係止する係止用突部４５が形成されている。
横側板３３、３３の外壁面には、プラグ５０とのハーフ嵌合でプラグ５０と係止するための係止用突起部４６，４６、４６，４６が形成されている。
【００２４】
プラグ５０は、図６〜図８に示すように、導電性金属で成形された１２個のプラグピン５１と、弾性金属で成形された２個の嵌合ロック片５２と、絶縁性合成樹脂で成形されたプラグハウジング５３とで形成されている。
【００２５】
プラグピン５１は、一体に連設された接触部５４、圧入部５５及び接続部５６を具備し、接触部５４はソケット１０との嵌合時にターミナル１１の弾性接触部１５と弾性接触し、圧入部５５はプラグハウジング５３のピン挿入孔５７への圧入でプラグハウジング５３に固着し、接続部５６は基板Ｐへの半田接続で基板Ｐ上の回路パターンと電気的に接続する。
【００２６】
嵌合ロック片５２は、図７にも示すように、一体に連設されたロック爪５８、５８、アーム部５９、圧入部６０及び固着部６１からなっている。
固着部６１は、細長帯板状に形成されて基板Ｐの対応する位置に半田付け等で固着される。
圧入部６０は、固着部６１の上側に連設されて固着部６１より幅広の矩形板状に形成されるとともに、両端部に圧入突起６２、６３が形成されている。
アーム部５９は、圧入部６０の上側に連設されて帯状に形成されるとともに、この帯状体を外側へ向けて略直角に折り曲げた後、略直角に折り返して上方へ延伸した形状に形成されている。
ロック爪５８、５８はアーム部５９の上部両側から内側へ向けて連設されて爪状に形成されている。
嵌合ロック片５２、５２は、そのロック爪５８，５８、５８，５８の係止段部４１，４１、４１，４１への係止力が、係止用突部２８，２８、２８，２８と係止用突部４５，４５、４５，４５の係止力（第１、第２ソケットハウジング１２、１３間の係止力）より大きくなるように設定されている。
【００２７】
プラグハウジング５３は、図９及び図１０にも示すように、略矩形板状に形成された底板７１と、この底板７１の短辺側の縁部から一体に直立した縦側板７２、７２と、底板７１の長辺側の縁部から一体に直立した横側板７３、７３とからなり、底板７１、縦側板７２、７２及び横側板７３、７３によって上面を開口した嵌合凹部７４が形成され、この嵌合凹部７４はソケット１０の第２ソケットハウジング１３を収容可能な形状に形成されている。
【００２８】
底板７１には、各ターミナル挿入孔１７に対応して対応するプラグピン５１を挿入するためのピン挿入孔５７が形成されるとともに、嵌合ロック片５２を挿入するためのロック片挿入口、７６、７６が形成されている。
縦側板７２、７２の内壁面には、嵌合ロック片５２のロック爪５８、５８、アーム部５９及び圧入部６０を収容するためのロック片収容凹部７７、７７が形成され、このロック片収容凹部７７、７７の下側部はロック片挿入口、７６、７６に連通している。
ロック片収容凹部７７、７７の内側の内壁面には、圧入された嵌合ロック片５２の嵌合ロック片５２の圧入部６０を係止するための係止溝７８、７８が形成されている。
横側板７３、７３の内壁面には、横方向の両側に位置して浅溝８１，８１、８１，８１が形成され、各浅溝８１内には、ソケット１０とのハーフ嵌合時に第２ソケットハウジング１３の係止用突部４５を上下から挟んで係止するための上側係止突起８２と下側係止突起８４、８４とが形成されている。
ここで、ハーフ嵌合時とは、ターミナル１１の弾性接触部１５とプラグピン５１の接触部５４が接触状態に入っているが、ソケット１０とプラグ５０の嵌合が完了していない状態をいう。
【００２９】
つぎにソケット１０、プラグ５０の組み立て方法について順次説明する。
【００３０】
（１）図５に示すように、第１ソケットハウジング１２の係合片２２、２２及び隔壁２３が第２ソケットハウジング１３の収容凹部３４内へ挿入され、第１ソケットハウジング１２と第２ソケットハウジング１３が互いに係止され、固定される。このとき、第１ソケットハウジング１２の係合凹部２７，２７、２７，２７が第２ソケットハウジング１３の係合用凸部３７，３７、３７，３７に係合するとともに、第１ソケットハウジング１２の縦隔壁２５の縦方向外側端部が第２ソケットハウジング１３の係合用凹部４４、４４に係合して位置決めされるとともに、第１ソケットハウジング１２の係止用突部２８，２８、２８，２８が第２ソケットハウジング１３の係止用突部４５，４５、４５，４５を乗り越えて係止用突部４５，４５、４５，４５の下側に係止し、第１、第２ソケットハウジング１２、１３間が固定される。
【００３１】
（２）ついで、ターミナル１１が第１ソケットハウジング１２のターミナル挿入口２６からターミナル挿入孔１７内へ挿入され、係止され、固定される。このとき、挿入時にはターミナル１１の外周壁が第１ソケットハウジング１２の圧接用突部２９に圧接して位置決めされ、挿入完了時にはターミナル１１のランス１６が第１ソケットハウジング１２のハウジングランス３０に係止され、固定される。
以上によってソケット１０の組み立てが完了する。
【００３２】
（３）嵌合ロック片５２、５２がプラグハウジング５３の底面側からロック片挿入口７６、７６を介してロック片収容凹部７７、７７内へ挿入され、圧入係止によって固定される。このとき、嵌合ロック片５２の圧入部６０がプラグハウジング５３の係止溝７８、７８に圧入係止によって固定される。この固定によって、嵌合ロック片５２のアーム部５９及びロック爪５８、５８は、圧入部６０を支持部としてロック片収容凹部７７内で横方向（図１（ａ）では左右方向）に弾性変形可能となり、ソケット１０を嵌合していないときには、図６に示すように嵌合ロック片５２のロック爪５８、５８が嵌合凹部７４内に突出している。
【００３３】
（４）ついで、プラグピン５１がプラグハウジング５３の上方からピン挿入孔５７内へ挿入され、固定される。このとき、プラグピン５１の圧入部５５がピン挿入孔５７内に圧入係止されることによって固定される。
以上によってプラグ５０の組み立てが完了する。
【００３４】
つぎに、ソケット１０とプラグ５０のハーフ嵌合について図１１を併用し説明する。
このハーフ嵌合は、ソケット１０とプラグ５０の嵌合完了後にソケット１０をプラグ５０から抜去すると、ソケット１０の第２ソケットハウジング１３がプラグ５０内に残って使用不能状態となるので、抜去しても使用不能状態とならないハーフ嵌合として、出荷前の特性検査等を可能にするために行われる。
【００３５】
（１）嵌合のためにプラグ５０の嵌合凹部７４へソケット１０を挿入させると、この挿入途中において、図１１（ａ）に示すように、ソケット１０の係止用突起部４６，４６、４６，４６がプラグ５０の対応する上側係止突起８２，８２、８２，８２に当接する。  
【００３６】
（２）ついで、プラグ５０の嵌合凹部７４へのソケット１０の挿入を進めると、ソケット１０の係止用突起部４６，４６、４６，４６がプラグ５０の上側係止突起８２，８２、８２，８２を乗り越えて図１１（ｂ）に示すように上側係止突起８２，８２、８２，８２と下側係止突起８４〜８４、８４〜８４の間に係止し、ハーフ嵌合状態となる。
このとき、クリック感が生じてハーフ嵌合を知らせることができる。またプラグピン５１の接触部５４がターミナル１１の弾性接触部１５に弾性接触状態となっているので、接触抵抗などの特性検査を行うことができる。
また、このハーフ嵌合時には、嵌合ロック片５２のロック爪５８、５８が第２ソケットハウジング１３の係止段部４１，４１、４１，４１に係止していないので、特性検査終了後にソケット１０をプラグ５０から抜去しても、ソケット１０の第２ソケットハウジング１３がプラグ５０の嵌合凹部７４内に残らず、使用不能状態とならない。
【００３７】
つぎに、嵌合完了後に嵌合を解除すると使用不能状態になる作用について、図１２を併用して説明する。    
【００３８】
（１）図１２（ａ）に示すように、ソケット１０を図中矢印で示す方向に移動してプラグ５０の嵌合凹部７４へ挿入させると、まず前述の図１１（ｂ）に示したハーフ嵌合状態となる。
このハーフ嵌合状態からさらに矢印方向への挿入を進めると、まず嵌合ロック片５２、５２のロック爪５８，５８、５８，５８が第２ソケットハウジング１３の縦側板３２、３２の外壁面で外側へ押圧されて嵌合凹部７４内から外側へ移動し、ついで嵌合完了時に図１２（ｂ）に示すような元の状態に復帰して係止段部４１，４１、４１，４１に係止する。
このとき、嵌合ロック片５２、５２のロック爪５８、５８、５８，５８はロック爪案内溝３９，３９、３９，３９に案内されて係止段部４１，４１、４１，４１に係止するのでソケット１０のプラグ５０への嵌合に必要以上の力が要求されない。
【００３９】
（２）ついで、ソケット１０をプラグ５０から抜去すると、嵌合ロック片５２、５２のロック爪５８，５８、５８，５８が第２ソケットハウジング１３の係止段部４１，４１、４１，４１に係止する力が、第１ソケットハウジング１２の係止用突部２８，２８、２８，２８とソケット１０の係止用突部４５，４５、４５，４５が係止する力より大きく設定されているので、図１２（ｃ）に示すように、ソケット１０の第２ソケットハウジング１３がプラグ５０の嵌合凹部７４内に残る。このため、ソケット１０は、第２ソケットハウジング１３の欠落でターミナル１１１１〜１１がバラケた状態となって使用不能状態となり、プラグ５０は嵌合凹部７４内に第２ソケットハウジング１３が残って使用不能状態となり、ケーブルＣを変造ケーブルに交換する不正行為を防止することができる。
【００４０】
つぎに、図１２（ｃ）に示すような使用不能状態になったプラグ５０を、専用の治具９０を用いて使用可能状態に復帰させる作用について、図１３を用いて説明する。
【００４１】
（１）まず、治具９０について説明する。治具９０は、弾性金属板の打ち抜き及び折り曲げ加工によって、図１３（ａ）に示すように形成される。この治具９０は、略矩形板状の本体部９１と、この本体部９１の短辺側の両側中央部から斜め下方外側へ延伸した広幅舌片状のロック解除部９２、９２と、このロック解除部９２、９２の先端中央部から突出した案内突部９３、９３と、本体部９１の短辺側の両端両側部から斜め下方外側へ延伸した狭幅舌片状のアーム部９４〜９４と、このアーム部９４〜９４の先端部に連設された爪状のハウジング引掛部９５〜９５とを具備している。
【００４２】
（２）治具９０のロック解除部９２、９２を、その案内突部９３、９３を第２ソケットハウジング１３の治具案内凹部４２、４２に挿入しつつ位置決めをしてロック爪係止溝４０、４０内に挿入する。この挿入によってロック解除部９２、９２が嵌合ロック片５２のロック爪５８、５８を外側へ押圧し、ロック爪５８、５８が図１３（ｂ）に示すように嵌合凹部７４、７４からロック片収容凹部７７、７７へ移動し、ロック爪５８、５８と係止段部４１，４１、４１，４１の係止が解除される。  また、ロック解除部９２、９２がロック爪係止溝４０、４０内へ挿入されたときに、同時にハウジング引掛部９５〜９５が図１３（ｃ）に示すように第２ソケットハウジング１３の治具引掛溝３８，３８、３８，３８に引っ掛かる。
したがって、図１３（ｂ）（ｃ）において治具９０を上方へ引っ張ると、プラグ５０の嵌合凹部７４内から第２ソケットハウジング１３が除去され、プラグ５０及び基板Ｐを使用可能状態に復帰させることができる。  
【００４３】
（３）前記（１）（２）の治具９０を用いた使用可能状態への復帰は、ソケット１０の抜去で第２ソケットハウジング１３がプラグ５０の嵌合凹部７４内に残った使用不能状態のときのみ可能である。すなわち、ソケット１０がプラグ５０に嵌合しているときには、第２ソケットハウジング１３の収容凹部３４とロック爪係止溝４０、４０の開口部が第１ソケットハウジング１２の係合片２２、２２及び隔壁２３とハウジング本体２１で覆われているので、治具９０のハウジング引掛部９５〜９５とロック解除部９３、９３を挿入できないからである。
【００４４】
前記実施例では、出荷前の特性検査を可能にするために、ソケット１０の第２ソケットハウジング１３の外壁面に係止用突起部４６を形成し、プラグ５０のプラグハウジング５３の対応する内壁面に上側係止突起８２及び下側係止突起８４、８４を形成し、ハーフ嵌合を可能にした場合について説明したが、本発明はこれに限るものでなく、係止用突起部４６，４６、４６，４６、上側係止突起８２及び下側係止突起８４、８４の形成を省略してハーフ嵌合を不能とした場合についても利用することができる。 
【００４５】
前記実施例では、使用不能状態になったプラグ５０を治具９０を用いて使用可能状態に復帰させるためにロック爪係止溝４０、４０が上側に向かって開口し、第２ソケットハウジング１３の内壁面に治具引掛溝３８，３８、３８，３８を形成した場合について説明したが、本発明はこれに限るものでない。例えば治具９０と異なる構成の治具を用いて使用可能状態に復帰可能な構成に変形した場合や、ロック爪係止溝４０、４０や治具引掛溝３８，３８、３８，３８を省略して治具を用いた復帰を不能とした場合についても利用することができる。   
【００４６】
前記実施例では、ソケット１０のプラグ５０への嵌合に必要以上の力を要求せずにソケット１０、プラグ５０間の嵌合を容易にするために、第２ソケットハウジング１３の外壁面にロック爪５８、５８を案内するロック爪案内溝３９，３９、３９，３９が形成されている場合について説明したが、本発明はこれに限るものでなく、ロック爪案内溝３９，３９、３９，３９を省略した場合についても利用することができる。      
【００４７】
前記実施例では、第２ソケットハウジング１３と嵌合ロック片５２の係止構造を簡単にするために、プラグハウジング５３が略箱形状に形成され、嵌合ロック片５２がプラグハウジング５３のロック片収容凹部７７、７７内に片持梁状に収容されるとともに、ロック爪５８、５８が嵌合凹部７４内に突出し、第２ソケットハウジング１３の外壁面に、嵌合完了時にロック爪５８、５８と係止する係止段部４１，４１、４１，４１が形成されている場合について説明したが、本発明はこれに限るものでなく、嵌合ロック片５２と第２ソケットハウジング１３の係止力が第１、第２ソケットハウジング１２、１３の係止力より大きく設定されているものについて利用することができる。
【産業上の利用可能性】
【００４８】
遊技機以外でもセキュリティ装置に使用されるコネクタ（例えばソケットとプラグからなるコネクタ）に使用して、ケーブルを変造ケーブルに交換する不正行為を防止するのに利用できる。
【図面の簡単な説明】
【００４９】
【図１】本発明によるコネクタの一実施例を示すもので、（ａ）は縦断面図、（ｂ）は横断面図である。
【図２】図１中のソケット１０を示すもので、（ａ）は平面図、（ｂ）は正面図である。
【図３】図１中のソケット１０を示すもので、（ａ）は底面図、（ｂ）は図２（ｂ）の左側面図である。
【図４】図２（ａ）の断面を示すもので、（ａ）はＡ−Ａ線断面図、（ｂ）はＢ−Ｂ線断面図である。
【図５】図２〜図４中の第１ソケットハウジング１２と第２ソケットハウジング１３を示す要部分解斜視図である。
【図６】図１中のプラグ５０の平面図である。
【図７】図１及び図６中のプラグ５０の嵌合ロック片５２を示す斜視図である。
【図８】図６の断面を示すもので、（ａ）はＡ−Ａ線断面図、（ｂ）はＢ−Ｂ線断面図である。
【図９】図１〜図３、図６及び図８中のプラグハウジング５３を示すもので、（ａ）は平面図、（ｂ）は底面図である。
【図１０】図９の断面を示すもので、（ａ）はＡ−Ａ線断面図（ｂ）はＢーＢ線断面図である。
【図１１】ハーフ嵌合を説明するもので、（ａ）はハーフ嵌合直前状態を示す断面図、（ｂ）はハーフ嵌合状態を示す断面図である。
【図１２】嵌合解除で使用不能状態になる説明図で、（ａ）は嵌合前の状態を示す断面図、（ｂ）は嵌合完了時の状態を示す断面図、（ｃ）はソケット１０をプラグ５０から抜去することで使用不能になった状態を示す断面図である。
【図１３】治具９０を用いて使用可能状態に復帰させる説明図で、（ａ）は治具９０の斜視図、（ｂ）は治具９０により係止が解除された状態を示す断面図、（ｃ）は治具９０により第２ソケットハウジング１３を引き抜く直前の状態を示す断面図である。
【図１４】一般的なソケットとプラグからなるコネクタの断面図である。
【図１５】遊技機でのコネクタ使用状態を示す説明図である。
【図１６】遊技機のケーブル抜脱防止装置の説明図である。
【符号の説明】
【００５０】
１０…ソケット（ケーブル用コネクタの一例）
１１…ターミナル
１２…第１ソケットハウジング（第１ハウジングの一例）
１３…第２ソケットハウジング（第２ハウジングの一例）   
１４…ケーブル圧着部
１５…弾性接触部
１６…ランス
１７…ターミナル挿入孔
３９…ロック爪案内溝   
４０…ロック爪係止溝
４１…係止段部       
４６、８２、８４…係止用突起（係止部の一例）
５０…プラグ（基板用コネクタの一例）
５１…プラグピン（ピンコンタクトの一例）
５２…嵌合ロック片
５３…プラグハウジング（基板用コネクタのハウジングの一例）
５４…接触部
５６…接続部
５８…ロック爪
７２…側板
７４…嵌合凹部
７７…ロック片収容凹部
【図１】
2005093284.tif 000003
【図２】
2005093284.tif 000004
【図３】
2005093284.tif 000005
【図４】
2005093284.tif 000006
【図５】
2005093284.tif 000007
【図６】
2005093284.tif 000008
【図７】
2005093284.tif 000009
【図８】
2005093284.tif 000010
【図９】
2005093284.tif 000011
【図１０】
2005093284.tif 000012
【図１１】
2005093284.tif 000013
【図１２】
2005093284.tif 000014
【図１３】
2005093284.tif 000015
【図１４】
2005093284.tif 000016
【図１５】
2005093284.tif 000017
【図１６】
2005093284.tif 000018